(57)【要約】【課題】  被験者の要求に応じて提供する情報を変えることができる生体状態監視システムを提供する。【解決手段】生体情報を計測する生体情報計測端末１１と、計測結果を受信し被験者の状態を解析する解析手段１２２を有した生体情報受信端末１２と被験者の状態を監視する監視端末１３からなる生体状態監視システムにおいて、解析手段１２２が行う解析処理の方法を被験者の要求に応じて変更する。【選択図】    図１
2004358231.tif 000002
【特許請求の範囲】
【請求項１】
被験者の生体情報を計測する生体情報計測手段と、該生体情報計測手段が計測した計測結果を送信する計測結果送信手段と、を有する生体情報計測端末と、
前記生体情報計測端末から送信された前記計測結果を受信する計測結果受信手段と、
受信した前記計測結果から被験者の状態を解析する解析手段と、前記計測結果および前記解析手段で解析した解析結果を記憶する記憶手段と、を有する生体情報受信端末と、
からなる生体状態監視システムにおいて、
前記解析手段が行う前記計測結果の解析処理の方法を、被験者の要求に応じて変更することを特徴とする生体状態監視システム。
【請求項２】
前記計測結果、１種類に対して、１種類以上の解析処理の方法が、また前記計測結果、複数種類の組合わせに対して、１種類以上の解析処理の方法が用意されており、被験者の要求に応じて、解析処理の方法を変更する請求項１に記載の生体状態監視システム。
【請求項３】
前記解析処理の方法は、被験者が生体情報の計測を行った時の被験者の状態、及び／若しくは、長期的に見た被験者の状態、を解析処理する方法である、請求項１または２に記載の生体状態監視システム。
【請求項４】
前記解析処理の方法と共に、前記生体情報計測端末の種類、及び／若しくは前記生体情報計測手段の計測条件、を変更することを特徴とする、請求項１から３のいずれかに記載の生体状態監視システム。
【請求項５】
前記解析処理の方法を変更するための被験者からの要求の中に、前記測定結果、前記解析結果、被験者が生体情報を計測する時の天候や場所や時期等の外的情報、医師や看護婦等の専門家からの要請、によって前記解析処理の方法を変更する、ということが含まれる請求項１から４のいずれかに記載の生体状態監視システム。
【請求項６】
前記生体状態監視システムは、さらに制御端末を有し、
前記制御端末は、生体情報受信端末の前記解析手段が行う、被験者の要求に応じた解析処理の方法を実現するための解析プログラムを設定する解析プログラム設定手段と、前記解析手段に前記解析プログラムを実行させるため、前記生体情報受信端末に前記解析プログラムを送信する解析プログラム送信手段と、を有することを特徴とする、請求項１から５のいずれかに記載の記載の生体状態監視システム。
【請求項７】
前記生体情報計測端末は、解析処理の方法を被験者の要求に応じて決定する解析方法決定手段を有し、
前記生体情報計測端末は、生体情報受信端末の前記解析手段が行う解析処理の方法の変更を依頼するため、前記解析方法決定手段で決定した解析処理の方法を、前記制御端末に送信することを特徴とする、請求項６に記載の生体状態監視システム。
【請求項８】
前記解析結果は、前記生体情報受信端末が有する表示部等によって、及び／若しくは前記制御端末が被験者の所望の送付先へ被験者の所望の送付方法で送付することによって、被験者に通知される、請求項６に記載の生体状態監視システム。
【請求項９】
前記制御端末は、被験者の要求に応じた解析処理の方法、被験者が保有する前記生体情報計測端末の種類と保有数、前記解析結果を被験者へ通知する方法、に応じて被験者に要求する料金を算出して管理する課金情報管理手段を有し、
前記制御端末は、前記課金情報管理手段が算出した被験者に要求する料金に関する情報を、被験者に通知することを特徴とする、請求項６から８のいずれかに記載の生体状態監視システム。
【請求項１０】
前記生体情報計測端末は、複数あることを特徴とする、請求項１から９のいずれかに記載の生体状態監視システム。
【請求項１１】
前記生体情報計測端末で計測する生体情報は、被験者の行動情報及び／若しくは生理学的情報であることを特徴とする請求項１から１０のいずれかに記載の生体状態監視システム。
【請求項１２】
被験者の生体情報を計測する生体情報計測手段と、該生体情報計測手段が計測した計測結果を送信する計測結果送信手段と、を有する生体情報計測端末と、
前記生体情報計測手段が計測した計測結果から被験者の状態を解析する解析手段と、前記計測結果および前記解析手段で解析した解析結果を記憶する記憶手段と、を有する生体情報受信端末と、
からなる生体状態監視システムに用いられる生体情報計測端末であって、
解析処理の方法を被験者の要求に応じて決定する解析方法決定手段を有し、
前記生体情報計測端末は、生体情報受信端末の前記解析手段が行う解析処理の方法の変更を依頼するため、前記解析方法決定手段で決定した解析処理の方法を、外部に送信することを特徴とする生体情報計測端末。
【請求項１３】
被験者の生体情報を計測する生体情報計測手段と、該生体情報計測手段が計測した計測結果を送信する計測結果送信手段と、を有する生体情報計測端末と、
前記生体情報計測手段が計測した計測結果から被験者の状態を解析する解析手段と、前記計測結果および前記解析手段で解析した解析結果を記憶する記憶手段と、を有する生体情報受信端末と、
からなる生体状態監視システムに用いられる生体情報受信端末であって、
前記解析手段が行う前記計測結果の解析処理の方法を、被験者の要求に応じて変更することを特徴とする生体情報受信端末。
【請求項１４】
さらに、前記解析結果を被験者に通知する機能を有する、請求項１３に記載の生体情報受信端末。
【請求項１５】
前記生体状態監視システムは、さらに制御端末を有し、
前記生体情報受信端末は、被験者の要求に応じた解析処理の方法を実現するための解析プログラムを、前記制御端末から受信し、該解析プログラムを実行することで被験者の要求に応じた解析処理を実現する、請求項１３または１４に記載の生体情報受信端末。
【請求項１６】
さらに、被験者の要求に応じた解析処理の方法、被験者が保有する前記生体情報計測端末の種類と保有数、前記解析結果を被験者へ通知する方法、に応じた被験者に要求する料金を、前記制御端末から受信し、前記被験者に要求する料金を被験者に通知する、請求項１３から１５のいずれかに記載の生体情報受信端末。
【請求項１７】
被験者の生体情報を計測する生体情報計測手段と、該生体情報計測手段で計測した計測結果を送信する計測結果送信手段と、を有する生体情報計測端末と、
前記生体情報計測端末から送信された前記計測結果を受信する計測結果受信手段と、
受信した前記計測結果から被験者の状態を解析する解析手段と、前記計測結果および前記解析手段で解析した解析結果を記憶する記憶手段と、を有する生体情報受信端末と、
からなる生体状態監視システムで用いられる生体状態監視方法であって、
前記生体情報計測端末の生体情報計測手段で、被験者の生体情報を計測するステップと、
前記生体情報受信端末の計測結果受信手段で、前記、生体情報を測定するステップによる測定結果を受信するステップと、
前記生体情報受信端末の解析手段で前記測定結果を解析する解析処理の方法を、被験者の要求に応じて変更するステップと、
前記生体情報受信端末の解析手段で、前記測定結果を被験者の要求に応じた解析処理の方法で解析するステップと、
を有することを特徴とする生体状態監視方法。
【請求項１８】
前記生体情報受信端末の解析手段で前記測定結果を解析する解析処理の方法を、被験者の要求に応じて変更するステップで用いられる、解析処理の方法を変更するための被験者からの要求の中に、前記測定結果、前記解析結果、被験者が生体情報を計測する時の天候や場所や時期等の外的情報、医師や看護婦等の専門家からの要請、によって前記解析処理の方法を変更する、ということが含まれる請求項１７に記載の生体状態監視方法。
【請求項１９】
さらに、前記生体情報受信端末の解析手段で、前記測定結果を被験者の要求に応じた解析処理の方法で解析するステップで解析した解析結果を、被験者に通知するステップを有する、請求項１７に記載の生体状態監視方法。
【請求項２０】
さらに、被験者の要求に応じた解析処理の方法、被験者が保有する前記生体情報計測端末の種類と保有数、前記解析結果を被験者へ通知する方法、に応じて被験者に要求する料金を算出するステップと、
前記、被験者に要求する料金に関する情報を、被験者に通知するステップを有する、請求項１７から１９のいずれかに記載の生体状態監視方法。
【請求項２１】
被験者の生体情報を計測する生体情報計測手段と、該生体情報計測手段で計測した計測結果を送信する計測結果送信手段と、を有する生体情報計測端末と、
前記生体情報計測端末から送信された前記計測結果を受信する計測結果受信手段と、
受信した前記計測結果から被験者の状態を解析する解析手段と、前記計測結果および前記解析手段で解析した解析結果を記憶する記憶手段と、を有する生体情報受信端末と、
からなる生体状態監視システムで用いられる、生体情報受信端末に関する生体状態監視方法をコンピュータにより実行させるためのプログラムを記録した、コンピュータでの読み取りが可能な記録媒体であって、
前記生体情報受信端末の計測結果受信手段で、前記生体情報計測端末から測定結果を受信するステップと、
前記測定結果を解析する解析処理の方法を、被験者の要求に応じて変更するステップと、
前記生体情報受信端末の解析手段で、前記測定結果を被験者の要求に応じた解析処理の方法で解析するステップと、
を有することを特徴とする生体状態監視方法をコンピュータにより実行させるためのプログラムを記録した、コンピュータでの読み取りが可能な記録媒体。
発明の詳細な説明発明の詳細な説明
【発明の詳細な説明】
【技術分野】
【０００１】
本発明は、被験者の生体状態を監視する生体状態監視システムおよび生体状態監視方法に関する。
【背景技術】
【０００２】
人の活動を検出し、人の状態を監視する端末やシステムは従来から知られている。例えば、歩行や歩行に伴う人体の上下動を検出して歩数を計数する歩数計を提供する技術（特許文献１参照）、運動量と心拍数を計測し、計測結果と予め入力しておいた身長、体重、性別、年齢などの個人データから消費カロリーを計算するカロリー計算機を提供する技術（特許文献２参照）、人の動作に関する事柄を計測し計測結果から人の動作を分析する技術などがある（特許文献３参照）。
【特許文献１】特開平２−１６１９３２ 号公報（第６頁  第１図）
【特許文献２】特開２００１−１６１６７０号公報（第８頁  第４図）
【特許文献３】特開平１０−２７７０１５ 号公報（第６頁  第１図）
【発明の開示】
【発明が解決しようとする課題】
【０００３】
従来の技術では、いずれの特許文献の技術においても、検出した信号に端末またはシステム特有の処理を行い検出した信号とは異なった形の信号に変換しているため、被験者はその端末またはシステムに限定された情報しか受けることができないといった問題がある。1つの端末に複数のセンサを取り付けることで複数の情報を被験者に提供することが可能になるが、その分端末が大型かつ高価になってしまうといった問題や、使用者が必要としていない情報まで提供してしまうといった問題がある。
【課題を解決するための手段】
【０００４】
上記課題を解決するため、本発明は、被験者の生体情報を計測する生体情報計測手段と、生体情報計測手段が計測した計測結果を送信する計測結果送信手段と、を有する生体情報計測端末と、生体情報計測端末から送信された計測結果を受信する計測結果受信手段と、受信した計測結果から被験者の状態を解析する解析手段と、計測結果および解析手段で解析した解析結果を記憶する記憶手段と、を有する生体情報受信端末と、からなる生体状態監視システムとし、解析手段が行う前記計測結果の解析処理の方法を、被験者の要求に応じて変更することを特徴とする。
【０００５】
ここで本生体状態監視システムは、計測結果１種類に対して１種類以上の解析処理の方法を、解析結果複数種類の組合わせに対して１種類以上の解析処理の方法を準備し、被験者の要求に応じて、解析処理の方法を様々に変更出来ることとする。
【０００６】
また解析処理の方法は、被験者が生体情報の計測を行った時の被験者の状態、及び／若しくは、長期的に見た被験者の状態、を解析処理する方法とする。
【０００７】
また解析処理の方法と共に、生体情報計測端末の種類、及び／若しくは生体情報計測手段の計測条件、を変更出来ることとする。
【０００８】
また解析処理の方法の変更は被験者の要求に応じてなされるのだが、被験者からの要求の中に、前記測定結果、前記解析結果、被験者が生体情報を計測する時の天候や場所や時期等の外的情報、医師や看護婦等の専門家からの要請、によって解析処理の方法を変更する、ということを含むこととする。
【０００９】
さらに本生体状態監視システムは制御端末を有し、制御端末により、生体情報受信端末の解析手段が行う、被験者の要求に応じた解析処理の方法を実現するための解析プログラムを設定し、生体情報受信端末に解析プログラムを送信して実行させることとする。
【００１０】
さらに生体情報計測端末は、解析処理の方法を被験者の要求に応じて決定する解析方法決定手段を有し、生体情報計測端末は、生体情報受信端末の前記解析手段が行う解析処理の方法の変更を依頼するため、解析方法決定手段で決定した解析処理の方法を、制御端末に送信出来ることとする。
【００１１】
さらに解析結果は、生体情報受信端末が有する表示部等によって、及び／若しくは制御端末が被験者の所望の送付先へ被験者の所望の送付方法で送付することによって、被験者に通知されることとする。
【００１２】
さらに制御端末は、被験者の要求に応じた解析処理の方法、被験者が保有する前記生体情報計測端末の種類と保有数、前記解析結果を被験者へ通知する方法、に応じて被験者に要求する料金を算出して管理する課金情報管理手段を有し、算出した被験者に要求する料金に関する情報を被験者に通知することとする。
【００１３】
尚、上記で説明した、被験者が使用する生体情報計測端末の数は、単数でも複数でもよく、また生体情報計測端末が計測する生体情報は、被験者の行動情報及び／若しくは生理学的情報であることとする。
【００１４】
本発明の生体情報計測端末、生体情報受信端末、生体情報受信端末、生体状態監視方法、及び生体状態監視方法を記録した記録媒体は、本発明の生体状態監視システムを実現するための生体情報計測端末、生体情報受信端末、生体情報受信端末、生体状態監視方法、及び生体状態監視方法を記録した記録媒体である。
【００１５】
具体的には、本発明の生体情報計測端末は、被験者の生体情報を計測する生体情報計測手段と、生体情報計測手段が計測した計測結果を送信する計測結果送信手段と、解析処理の方法を被験者の要求に応じて決定する解析方法決定手段を有し、生体情報受信端末の解析手段が行う解析処理の方法の変更を依頼するため、解析方法決定手段で決定した解析処理の方法を、外部に送信出来ることとする。
【００１６】
また本発明の生体情報受信端末は、生体情報計測端末からの計測結果から被験者の状態を解析する解析手段と、計測結果および前記解析手段で解析した解析結果を記憶する記憶手段とを有し、解析手段が行う計測結果の解析処理の方法を、被験者の要求に応じて変更することとする。そしてその解析結果を被験者に通知することとする。
【００１７】
また生体情報受信端末は、被験者の要求に応じた解析処理の方法を実現するための解析プログラムを、制御端末から受信し、解析プログラムを実行することで被験者の要求に応じた解析処理を実現することとする。
【００１８】
また生体情報受信端末は、被験者の要求に応じた解析処理の方法、被験者が保有する前記生体情報計測端末の種類と保有数、解析結果を被験者へ通知する方法、に応じた被験者に要求する料金を制御端末から受信し、被験者に要求する料金を被験者に通知することとする。
【００１９】
また本発明の生体状態監視方法は、生体情報計測端末の生体情報計測手段で、被験者の生体情報を計測するステップと、生体情報受信端末の計測結果受信手段で、生体情報を測定するステップによる測定結果を受信するステップと、生体情報受信端末の解析手段で測定結果を解析する解析処理の方法を、被験者の要求に応じて変更するステップと、生体情報受信端末の解析手段で、測定結果を被験者の要求に応じた解析処理の方法で解析するステップと、を有することとする。
【００２０】
ここで、解析処理の方法を変更するための被験者からの要求の中に、測定結果、解析結果、被験者が生体情報を計測する時の天候や場所や時期等の外的情報、医師や看護婦等の専門家からの要請、によって前記解析処理の方法を変更する、ということを含むこととする。
【００２１】
さらに、解析結果を被験者に通知するステップを有することとする。
【００２２】
さらに、被験者の要求に応じた解析処理の方法、被験者が保有する前記生体情報計測端末の種類と保有数、前記解析結果を被験者へ通知する方法、に応じて被験者に要求する料金を算出するステップと、被験者に要求する料金に関する情報を被験者に通知するステップを有することとする。
【００２３】
また本発明の生体状態監視方法をコンピュータにより実行させるためのプログラムを記録した、コンピュータでの読み取りが可能な記録媒体は、生体情報受信端末の計測結果受信手段で、前記生体情報計測端末から測定結果を受信するステップと、測定結果を解析する解析処理の方法を、被験者の要求に応じて変更するステップと、生体情報受信端末の解析手段で、測定結果を被験者の要求に応じた解析処理の方法で解析するステップと、を有する生体状態監視方法を記録した記録媒体とする。
【発明の効果】
【００２４】
本発明によれば、解析手段における解析処理の方法を被験者の要求に応じて変えることで、被験者は得られるデータを選択して自分が必要な情報のみを得ることが可能となる。
【００２５】
また、解析手段を生体情報受信端末に備えることで、生体情報計測端末を小型且つ安価に製作することが可能となる。
【００２６】
また、特に生体情報計測端末が解析方法決定手段と解析方法送信手段を有する場合は、被験者が一時的に確認したい解析内容がある場合でも、その解析方法に関する解析プログラムの送信依頼を監視端末へ直ちに行うことが出来るため、被験者は待つことなく所望の解析結果を得ることが出来る。
【００２７】
また、解析処理の方法を変更するための被験者からの要求の中に、測定結果、解析結果、被験者が生体情報を計測する時の天候や場所や時期等の外的情報、医師や看護婦等の専門家からの要請、によって前記解析処理の方法を変更する、ということを含むため、被験者が緊急事態に陥った場合にも、早急に対処することが可能となる。例えば、被験者が選択可能な解析処理の方法の中に、「生体情報に異常が見出せた場合、監視人（専門家）の判断で解析処理の方法を変更可」を含めることにより、被験者が緊急事態に陥った場合にも、その緊急事態を見逃さず、早急に対処することが可能となる。
【００２８】
また、特に監視端末が課金情報管理手段を有し、生体情報受信端末が課金情報表示手段を有する場合は、課金情報管理手段が管理する被験者の本生体状態監視システム使用料金等に関する情報を課金情報表示手段に表示することが出来る。よって被験者は、本生体状態監視システム使用料金や支払い状況、本生体状態監視システム使用内容、等をいつでも所望の時期に確認することが出来る。
【００２９】
更に本生体状態監視システムの運営者は、解析結果を被験者に還元する際や、生体情報受信端末に本生体状態監視システム使用料金や支払い状況、本生体状態監視システム使用内容、等を送信する際に、本生体状態監視システムに関するインフォメーション、宣伝、といった付加情報を付けるが可能である。これにより被験者は、自身の生体情報解析結果以外にも、有用な情報を得ることが出来る。
【発明を実施するための最良の形態】
【００３０】
以下、本発明の好適な実施の形態について、図面を参照しつつ詳細に説明する。
【実施例１】
【００３１】
実施例１として、本発明に係る基本的な生体状態監視システムを説明する。
【００３２】
まず図１は、本発明に係る生体状態監視システムの基本構成を示すブロック図であり、生体情報計測端末１１と、生体情報受信端末１２と、監視端末１３とからなる。
【００３３】
前記生体情報計測端末１１は、被験者の生体情報を計測する生体情報計測手段１１１と、計測した計測結果を送信する計測結果送信手段１１２とを有する。
【００３４】
前記生体情報受信端末１２は、前記計測結果送信手段１１２から送られてきた前記計測結果を受信する計測結果受信手段１２１と、前記計測結果受信手段１２１によって受信した前記計測結果を用いて被験者の状態を解析する解析手段１２２と、前記解析手段１２２の解析結果を表示する解析結果表示手段１２３と、前記計測結果および前記解析結果を記憶する記憶手段１２４と、前記監視端末１３から送られてきた解析プログラムを受信する解析プログラム受信手段１２５と、前記記憶手段に記憶された前記解析結果を前記監視端末１３に公衆回線を用いて送信する解析結果送信手段１２６とを有する。
【００３５】
前記監視端末１３は、前記解析手段１２２において前記生体情報計測手段１１１の計測結果を用いて被験者の状態を解析する際の解析方法を決定する解析プログラムを作成する解析プログラム作成手段１３１と、解析プログラムを前記生体情報受信端末１２に公衆回線を用いて送信する解析プログラム送信手段１３２と、前記解析結果送信手段１２６から送られてきた解析結果を受信する解析結果受信手段１３３と、前記解析結果受信手段１３３で受信した前記解析結果を表示する解析結果表示手段１３４と、被験者に関する個人情報、被験者が選定した解析方法とその解析方法を達成するための解析プログラム、被験者の生体情報と解析結果、等が、被験者毎に保管された監視端末データベース１３５を有する。
【００３６】
ここで、生体情報計測手段１１１で計測される生体情報には、脈拍、心拍、脳波、体温、等の生理学的情報や、被験者の動いた方向、動いた角度、動いた距離、動いた速度、動いた加速度、等の行動情報が含まれるが、被験者の生理学的情報や行動情報であればこれに限るものではない。
【００３７】
また解析手段１２２は、生体情報計測手段１１１で計測された生体情報を使用して、被験者の要求に応じた解析処理を行う。例えば、脈拍や心拍から脈拍数および心拍数の算出を行うのみではなく、被験者の要求に応じて、Ｒ−Ｒ間隔をはかり、拍動の揺らぎを見て被験者が緊張状態にあるかの判定を行う。また例えば、体温を計測し表示するが、被験者の要求に応じて、データベースに保存された過去の自分の体温との比較を行い現在の被験者の体調を予測する。また例えば、被験者の行動情報から歩数や消費カロリーを算出するが、被験者の要求に応じて、特定の部位に着目して特定の動作フォームの解析を行う。
【００３８】
また解析手段１２２は、被験者の要求があれば、ある事象に応じて自動的に様々な方法に変更されるようにしてもよい。ある事象とは、ある特定の生体情報計測端末の測定結果、ある特定の解析結果、計測を行う時の天候や場所や時期、監視端末からの変更命令や生体情報計測端末からの変更命令、監視人である医師からの要請の有無といった外的要因、等が挙げられる。
【００３９】
また計測結果送信手段１１２と計測結果受信手段１２１間の通信は、有線通信／無線通信を問わない。しかし無線通信の方が、被験者の行動範囲を妨げることなく生体情報計測手段による計測が可能となるため、好ましい。無線通信に関しては方式は問わず、例えば微弱無線方式やＢｌｕｅｔｏｏｔｈを用いることができる。
【００４０】
図２は、監視端末データベース１３５の具体的な保管内容である。本生体状態監視システムは、被験者から閲覧要求があった場合にこれらの情報を公開する。また被験者が選定した解析方法が、生体情報の統計解析といった長期的スパンで見た解析であった場合、監視端末１３は図示しない監視端末解析手段で、データベースに保管された内容を元にした解析を行う。この解析結果は、監視端末内にある図示しない解析結果送信手段によって生体情報受信手段１２に送信され、解析結果表示手段１２３で表示される。
【００４１】
次に図３を用いて、本発明に係る生体状態監視システムの第２の基本構成を説明する。
【００４２】
第２の基本構成は、複数の生体情報計測端末３１１〜３１ｎと、生体情報受信端末３２と、制御端末３３とからなる。生体情報計測端末は、ｎ個あることを想定している。
【００４３】
生体情報計測端末３１１は、被験者の生体情報を計測する生体情報計測手段３１１１と、計測結果を生体情報受信端末に送信する計測結果送信手段３１１２とを有する。生体情報計測端末３１２〜３１ｎは、生体情報計測端末３１１と同様の構成をした端末である。
【００４４】
生体情報受信端末３２は、生体情報計測端末３１１〜３１ｎから送られてきた計測結果を受信する計測結果受信手段３２１と、受信した複数の計測結果を用いて被験者の状態を解析する解析手段３２２と、前記解析手段３２２の解析結果を表示する解析結果表示手段３２３と、前記計測結果および前記解析結果を記憶する記憶手段３２４と監視端末３３から送られてきた解析プログラムを受信する解析プログラム受信手段３２５と、前記記憶手段３２４に記憶された前記解析結果を前記監視端末３３に公衆回線を用いて送信する解析結果送信手段３２６とを有する。
【００４５】
監視端末３３は、前記解析手段において生体情報計測手段の計測結果を用いて被験者の状態を解析する際の解析処理の方法を決定する解析プログラムを作成する解析プログラム作成手段３３１と、解析プログラムを生体情報受信端末３２に公衆回線を用いて送信する解析プログラム送信手段３３２と、前記解析結果送信手段３２６から送られてきた解析結果を受信する解析結果受信手段３３３と、前記解析結果受信手段３３３で受信した前記解析結果を表示する解析結果表示手段３３４、被験者に関する個人情報、被験者が選定した解析方法とその解析方法を達成するための解析プログラム、被験者の生体情報と解析結果、等が、被験者毎に保管された監視端末データベース３３５とを有する。
【００４６】
ここで生体情報計測端末３１１〜３１ｎは、全端末が行動情報を計測する、という風に、全てが同種類の生体情報を計測する端末であってもよいし、行動情報を計測する端末と脈拍情報を計測する端末と体温を計測する端末、という風に、それぞれが異なった生体情報を計測する端末であってもよい。
【００４７】
また解析手段３２２は、生体情報計測端末３１１〜３１ｎからの出力された被験者の計測結果を使用して、被験者の要求に応じた解析処理、例えば、脈拍や心拍と脳波の情報から被験者の睡眠状態の解析を行う。また、例えば被験者の行動情報から歩数や消費カロリーを算出するが、被験者の要求に応じて、複数の行動情報から特定の動作フォームの解析を行う。
【００４８】
また解析手段３２２は、被験者の要求があれば、ある事象に応じて自動的に様々な方法に変更されるようにしてもよい。ある事象とは、ある特定の生体情報計測端末の測定結果、ある特定の解析結果、同時に計測する生体情報の種類や数、計測を行う時の天候や場所や時期、監視端末からの変更命令や生体情報計測端末からの変更命令、監視人である医師からの要請の有無といった外的要因、等が挙げられる。
【００４９】
また計測結果送信手段３１１２と計測結果受信手段３２１間の通信は、有線通信／無線通信を問わない。しかし無線通信の方が、被験者の行動範囲を妨げることなく生体情報計測手段による計測が可能となるため、好ましい。無線通信に関しては方式は問わず、例えば微弱無線方式やＢｌｕｅｔｏｏｔｈを用いることができる。
【００５０】
また監視端末データベース３３５の内容は、図２にある監視端末データベース１３５の内容と同一であるので、説明を割愛する。
【００５１】
本発明の生体状態監視システムの基本構成は、上記２種類が考えられ、それぞれの基本構成において、生体情報受信端末にある解析手段で行われる解析処理の方法を、被験者の要求に応じて変えることが可能である。例えば、被験者が予め自らが望む解析処理の方法を監視端末に申請すると、監視端末がその解析処理の方法に応じた解析プログラムを、被験者が所有する生体情報受信端末に送信する仕組みとなっている。生体情報の解析を生体情報受信端末で行うことにより、生体情報計測端末の機能は生体情報の計測および計測結果の送信のみとなり、生体情報計測端末を小型且つ安価に製作することが可能となる。
【００５２】
次に、本発明の生体状態監視システムの、具体的な動作の説明をする。
【００５３】
図４は、複数の生体情報計測端末により被験者の生体情報を計測した際の、生体情報の解析方法を示すフローチャートである。
【００５４】
まず被験者は、本生体状態監視システムを導入する際、様々な種類の生体情報計測端末の中から所望の生体情報計測端末を選択する。ここでは被験者は、加速度を計測することが可能な加速度計測端末（３１１とする）、及び角速度を計測することが可能な角速度計測端末（３１２とする）を選択し、保有しているものとする。
【００５５】
次に被験者は、生体情報計測端末の選定に続き、加速度計測端末３１１と角速度計測端末３１２の計測結果を用いて行う解析方法を決定する（Ｓ４１）。解析方法は、１生体情報計測端末につき１種類、といった固定の方法であってもよいし、ある事象に応じて自動的に様々な方法に変更されるようにしてもよい。ある事象とは、ある特定の生体情報計測端末の測定結果、ある特定の解析結果、同時に計測する生体情報の種類や数、測定を行う時の天候や場所や時期、監視端末からの変更命令や生体情報計測端末からの変更命令、監視人である医師からの要請の有無、といった外的要因が挙げられる。ここでは、被験者が加速度計測端末３１１のみを使用している場合は、歩数及び消費カロリーを算出するようにし、被験者が加速度計測端末３１１と角速度計測端末３１２の両方を使用している場合は、それぞれの端末の装着部位の動作を解析するようにしている。ここで、加速度計測端末３１１及び角速度計測端末３１２の装着場所を予め設定しておけば、例えばゴルフのスイングフォーム、ボーリングの投球フォーム、等の特定動作に対する解析が可能となる。
【００５６】
次に、決定された解析方法を実行するための解析プログラムが、監視装置３３の解析プログラム作成手段３３１により設定される（Ｓ４２）。そして、設定された解析プログラムは、ネットワークを経由して生体情報受信端末３２に送信される。生体情報受信端末３２は解析プログラムを受信し、図示しないプログラム保管部に保管した後、そのプログラムを実行することで、被験者が設定した解析方法を実際に遂行することが可能となる。
【００５７】
そして、被験者が加速度計測端末３１１及び／若しくは角速度計測端末３１２を装着し、起動させると、加速度計測端末３１１及び／若しくは角速度計測端末３１２は被験者の生体情報の測定を開始し、ある特定の通信間隔で測定結果を生体情報受信端末３２に送信する。
【００５８】
生体情報受信端末３２は、加速度計測端末３１１及び／若しくは角速度計測端末３１２から計測結果を受信し（Ｓ４３）、受信した計測結果の解析を行う（Ｓ４４）。解析方法は、Ｓ４２で行った解析処理の設定内容に従う。つまり、受信した計測結果が加速度計測端末３１１の計測結果である場合、被験者の歩数および消費カロリーを算出する（Ｓ４５）。受信した計測結果が加速度計測端末３１１及び角速度計測端末３１２の計測結果である場合、それらの計測結果から計測端末装着部の動作を解析する（Ｓ４６）
Ｓ４５及びＳ４６による解析結果は、生体情報受信端末３２に備わった解析結果表示手段３２３に表示される（Ｓ４７）。これにより被験者は、自身の生体情報に自身の望む解析方法が施された解析結果を、手軽に確認することが可能となる。例えば、加速度計測端末３１１のみを装着している場合、被験者は、計測された加速度の振幅や周期から算出された歩数や歩行距離や消費カロリーを確認することが出来る。
【００５９】
図８に歩数、歩行距離および消費カロリーの表示例を示す。表示画面には計測日の歩数（歩行距離）、消費カロリーおよび計測月の歩数（歩行距離）、消費カロリーが表示される。歩行距離がどの程度に相当するかを富士山の登頂距離や東京からの到達地点に換算して表示する。また消費カロリーがどの程度に相当するかをご飯茶碗何杯分か、豚何頭分かに換算して表示する。
【００６０】
また、腕や腰等に加速度計測端末３１１及び角速度計測端末３１２を装着している場合、被験者は、計測された加速度及び角速度から算出された動作を基に解析されたゴルフや野球のスイングフォームや、野球やボーリングの投球フォームといった特定動作を確認することが出来る。また、監視端末３３がプロゴルファーやプロ野球選手の動作フォームと被験者の過去の動作フォームに関する基準情報を所有し、その基準情報を解析プログラムと共に生体情報受信端末３２に送信しておくことにより、生体情報受信端末３２は、それら基準情報と被験者の現在の動作フォームを比較・分析することが出来、その結果を被験者に提供することが出来る。これにより被験者は、現在の自身の動作フォームとプロプレーヤーのフォーム、現在の自身のフォームと過去の自身のフォーム、とを比較することが出来る。
【００６１】
尚、生体情報計測端末３１１〜３１nの選定と解析方法の決定は、被験者が本生体状態監視システムを導入する際に行われたが、本生体状態監視システムを運用中に使用計測端末の変更、使用解析方法の変更を行っても何ら問題ない。
【００６２】
また解析方法の決定や変更は、本生体状態監視システム運営者に直接申請する方法の他、生体情報受信端末３２にある図示しない入力手段を用いて行うことが可能である。
【００６３】
また、生体情報受信端末３２の解析手段３２２で用いられる解析プログラムについて、監視端末３３からネットワークを経由して生体情報受信端末３２に送信される例を説明したが、これに限るものではない。例えば記憶媒体に記憶した解析プログラムを直接生体情報受信端末にダウンロードして解析プログラムを変更する形態であってもよい。
【００６４】
このように、生体情報受信端末の解析手段で行われる解析処理の方法を、被験者の要求に応じて変えることで、被験者は自分の生体情報計測結果から自分が必要な情報のみを得ることが可能となる。
【実施例２】
【００６５】
実施例２として、本発明に係る生体状態監視システムを説明する。
【００６６】
図５は、本発明の実施例２に係る生体状態監視システムを示すブロック図であり、生体情報計測端末５１と、生体情報受信端末５２と、監視端末５３とからなる。
【００６７】
前記生体情報計測端末５１は、被験者の生体情報を計測する生体情報計測手段５１１と、計測した計測結果を無線で送信する計測結果送信手段５１２と、計測した生体情報を解析する方法を決定する解析方法決定手段５１３と、決定した解析方法を無線で送信する解析方法送信手段５１４とを有する。
【００６８】
ここで計測結果送信手段５１２と前記解析方法送信手段５１４の通信方法は、有線通信／無線通信を問わない。しかし無線通信の方が、被験者の行動範囲を妨げることなく生体情報計測手段による計測が可能となるため、好ましい。無線通信に関しては方式は問わず、例えば微弱無線方式やＢｌｕｅｔｏｏｔｈを用いることができる。
【００６９】
また、計測結果送信手段５１２と前記解析方法送信手段５１４は、別々の送信手段である必要は無く、同一の送信手段であってもよい。
【００７０】
前記生体情報受信端末５２は、前記計測結果送信手段５１２から送られてきた計測結果を受信する計測結果受信手段５２１と、前記解析方法送信手段５１４から送られてきた解析方法を受信する解析方法受信手段５２２と、受信した解析方法を前記監視端末５３に公衆回線を用いて送信する解析方法送信手段５２３と、前記監視端末５３から公衆回線を用いて送信される解析プログラムを受信する解析プログラム受信手段５２４と、受信した解析プログラムによって前記計測結果受信手段５２１によって受信した計測結果から被験者の状態を解析する解析手段５２５と、前記解析手段５２５の解析結果を表示する解析結果表示手段５２６と、前記計測結果及び前記解析結果を記憶する記憶手段５２７と、前記記憶手段５２７に記憶された前記解析結果を前記監視端末５３に公衆回線を用いて送信する解析結果送信手段５２８とを有する。
【００７１】
ここで計測結果受信手段５２１と解析方法受信手段５２２は、別々の受信手段である必要は無く、同一の受信手段であってもよい。
【００７２】
また解析方法送信手段５２３と解析結果送信手段５２８も、別々の送信手段である必要は無く、同一の送信手段であってもよい。
【００７３】
前記監視端末５３は、前記解析方法送信手段から送られてきた解析方法を受信する解析方法受信手段５３１と、受信した解析方法で解析を行う解析プログラムを設定する解析プログラム設定手段５３２と、設定された解析プログラムを前記生体情報受信端末５２に公衆回線を用いて送信する解析プログラム送信手段５３３と、前記解析結果送信手段５２８から送られてきた解析結果を受信する解析結果受信手段５３４と、前記解析結果受信手段５３４で受信した前記解析結果を表示する解析結果表示手段５３５と、被験者に関する個人情報、被験者が選定した解析方法とその解析方法を達成するための解析プログラム、被験者の生体情報と解析結果、等が、被験者毎に保管された監視端末データベース５３６とを有する。
【００７４】
ここで解析方法受信手段５３１と解析結果受信手段５３４は、別々の受信手段である必要は無く、同一の受信手段であってもよい。
【００７５】
また監視端末データベース５３６の内容は、実施例１の図２にある監視端末データベース１３５の内容と同一であるので、説明を割愛する。
【００７６】
上記のようなシステムの構成とすることで、被験者は、生体情報計測端末５１を用いて所望の解析方法を設定することが出来、必要な解析プログラムを監視装置５３から生体情報受信端末５２にダウンロードすることが出来る。
図６は生体情報として光を用いて生体情報を計測する際のデータ解析方法の一例を示すフローチャートである。
【００７７】
まず被験者は、光を用いて脈拍やSｐO2などの生体情報を計測することができる生体情報計測端末５１の解析方法を決定する（Ｓ６１）。解析方法は、１生体情報計測端末につき１種類、といった固定の方法であってもよいし、ある事象に応じて自動的に様々な方法に変更されるようにしてもよい。ある事象とは、監視端末からの変更命令や生体情報計測端末からの変更命令といった外的要因、等が挙げられる。ここでは、監視人である医師からの要請の有無によって解析方法を変更し、医師からの要請がない場合は脈拍数を算出し医師からの要請がある場合はＳｐＯ２を算出するようにしている。決定された解析方法は、解析方法送信手段５１４から生体情報受信端末５２に送られ、更に監視端末５３の解析方法受信手段５３１へ送られる。
【００７８】
決定された解析方法が監視端末５３により受信された後、決定された解析方法を実行するための解析プログラムが、解析プログラム設定手段５３２により設定される（Ｓ６２）。設定された解析プログラムは、ネットワークを経由して生体情報受信端末５２に送信される。生体情報受信端末５２は、解析プログラムを受信し、図示しないプログラム保管部に保管した後、そのプログラムを実行することで、被験者が設定した解析方法を実際に遂行することが可能となり、生体情報計測端末５１で計測した生体情報を解析する（Ｓ６３）。その際、監視端末５３で被験者を監視している医師などの監視人からの要請があれば（Ｓ６４）解析方法を変更し（Ｓ６５）解析を行う。例えば医師などの監視人からの要請がない通常時は脈拍数のみを算出して（Ｓ６７）、算出結果を表示し（Ｓ６８）、医師からの要請がある場合は酸素飽和度（ＳｐＯ２）を算出して、算出結果を（Ｓ６６）表示する（Ｓ６８）。
【００７９】
監視人からの要請による解析方法の変更方法としては、例えば監視人から電話などで直接被験者に解析方法変更の要請を行い、被験者が生体情報計測端末解析方法を変えることもできるし、監視人が監視端末から公衆回線を通して生体情報受信端末にアクセスし、解析方法を変えることもできる。
【００８０】
また本実施例では、医師の要請によって解析方法を変更しているが、被験者が薬を飲んだ後に自ら解析方法を変更し、薬の効果を評価することもできる。その場合は、被験者自らが生体情報計測端末５１の解析方法決定手段５１３で解析方法を設定する。
【００８１】
このように、生体情報受信端末の解析手段で行われる解析処理の方法を、被験者の要求に応じて変えることで、被験者は自分の生体情報計測結果から自分が必要な情報のみを得ることが可能となる。
【００８２】
また、生体情報端末に解析方法決定手段と解析方法送信手段があるため、被験者は一時的に確認したい解析内容がある場合でも、その解析方法に関する解析プログラムの送信依頼を監視端末へ直ぐに行うことが出来る。そして生体情報受信端末が監視端末から解析プログラムを受信し、実行することで、被験者は待つことなく所望の解析結果を得ることが出来る。
【００８３】
また、被験者が選択する解析処理の方法の中に、「生体情報に異常が見出せた場合は監視人の判断で処理方法を変更可」を含めることにより、被験者が緊急事態に陥った場合にも、本生体状態監視システムはその緊急事態を見逃さず、早急に対処することが可能となる。
【実施例３】
【００８４】
実施例３として、本発明に係る生体状態監視システムを説明する。
【００８５】
図７は本発明の実施の形態３にかかる生体状態監視システムのブロック図であり、生体情報計測端末７１と、生体情報受信端末７２と、監視端末７３とからなる。
【００８６】
前記生体情報計測端末７１は、被験者の生体情報を計測する生体情報計測手段７１１と、計測した計測結果を無線で送信する計測結果送信手段７１２と、計測した生体情報を解析する方法を決定する解析方法決定手段７１３と、決定した解析方法を無線で送信する解析方法送信手段７１４とを有する。
【００８７】
ここで前記計測結果送信手段７１２、前記解析方法送信手段７１４の通信方法は、有線通信／無線通信を問わない。しかし無線通信の方が、被験者の行動範囲を妨げることなく生体情報計測手段による計測が可能となるため、好ましい。無線通信に関しては方式は問わず、例えば微弱無線方式やＢｌｕｅｔｏｏｔｈを用いることができる。
【００８８】
また、計測結果送信手段７１２と解析方法送信手段７１４の通信方法は、別々の送信手段である必要は無く、同一の送信手段であってもよい。
【００８９】
前記生体情報受信端末７２は、前記計測結果送信手段７１２から送られてきた計測結果を受信する計測結果受信手段７２１と、前記解析方法送信手段７１４から送られてきた解析方法を受信する解析方法受信手段７２２と、受信した解析方法を前記監視端末７３に公衆回線を用いて送信する解析方法送信手段７２３と、監視端末７３から公衆回線を用いて送信される被験者の本生体状態監視システム使用料金に関する情報を受信する課金情報受信手段７２５と、課金情報受信手段７２５で受信した情報を被験者に通知する課金情報表示手段７２４と、前記監視端末７３から公衆回線を用いて送信される解析プログラムを受信する解析プログラム受信手段７２６と、受信した解析プログラムによって前記計測結果受信手段７２１によって受信した計測結果から被験者の状態を解析する解析手段７２７と、前記解析手段７２７の解析結果を表示する解析結果表示手段７２８と、前記計測結果及び前記解析結果を記憶する記憶手段７２９と、前記記憶手段７２９に記憶された前記解析結果を前記監視端末７３に公衆回線を用いて送信する解析結果送信手段７２１０とを有する。
【００９０】
ここで計測結果受信手段７２１と解析方法受信手段７２２は、別々の受信手段である必要は無く、同一の受信手段であってもよい。
【００９１】
また解析方法送信手段７２３と解析結果送信手段７２１０も、別々の送信手段である必要は無く、同一の送信手段であってもよい。
【００９２】
また課金情報受信手段７２５と解析プログラム受信手段７２６も、別々の受信手段である必要は無く、同一の受信手段であってもよい。
【００９３】
また課金情報表示手段７２４と解析結果表示手段７２８も、別々の表示手段である必要は無く、同一の表示手段であってもよい。
【００９４】
前記監視端末７３は、前記解析方法送信手段から送られてきた解析方法を受信する解析方法受信手段７３１と、受信した解析方法で解析を行う解析プログラムを設定する解析プログラム設定手段７３２と、設定された解析プログラムを前記生体情報受信端末７２に公衆回線を用いて送信する解析プログラム送信手段７３３と、前記解析結果送信手段７２１０から送られてきた解析結果を受信する解析結果受信手段７３４と、前記解析結果受信手段７３４で受信した前記解析結果を表示する解析結果表示手段７３５と、被験者の本生体状態監視システム使用料金に関する情報を生体情報受信手段７２へ送信する課金情報送信手段７３６と、被験者の本生体状態監視システム使用内容を元に使用料金に関する情報を管理する課金情報管理手段７３７と、被験者に関する個人情報、被験者が選定した解析方法とその解析方法を達成するための解析プログラム、被験者の生体情報と解析結果、解析結果を被験者に還元する方法や還元先、被験者の本生体状態監視システム使用料金支払いに関する情報、等が保管された監視端末データベース７３８とを有する。
【００９５】
ここで課金情報送信手段７３６と解析プログラム送信手段７３３は、別々の送信手段である必要は無く、同一の送信手段であってもよい。
【００９６】
また解析方法受信手段７３１と解析結果受信手段７３４も、別々の受信手段である必要は無く、同一の受信手段であってもよい。
【００９７】
図９は、監視端末データベース７３８の具体的な保管内容である。これは、実施例１の図２にある監視端末データベース１３５の内容に、解析結果を被験者に還元する方法や還元先、被験者の本生体状態監視システム使用料金支払いに関する情報を追加したものである。
【００９８】
解析結果を被験者に還元する方法には、被験者が所有する生体情報受信端末７２の解析結果表示手段７２８に解析結果を表示、被験者が所有する通信端末に解析結果情報を送信、被験者宛に解析結果情報を郵送、等が有り、予め被験者により選定される。また還元先も、被験者自身、被験者の親族、被験者が望む第３者、等が有り、予め被験者により選定される。
【００９９】
被験者の本生体状態監視システム使用料金支払いに関する情報は、被験者の本生体状態監視システム使用料金、被験者の本生体状態監視システム使用料金の支払方法、被験者の本生体状態監視システム使用料金の支払い履歴、本生体状態監視システムの被験者への解析結果還元履歴、を含んだ情報である。ここで本生体状態監視システム使用料金は、課金情報管理手段７３７により、被験者の所有する生体情報計測端末の種類と数、被験者が選定した解析方法、被験者が選定した還元方法、被験者が選定した還元先、等を考慮して決定されるものである。
【０１００】
尚、被験者の本生体状態監視システム使用料金支払いに関する情報といった監視端末データベース７３８に含まれる情報は、課金情報送信手段７３６により、定期的若しくは被験者の所望の時期に、生体情報受信端末７２へ送信される仕組みになっている。
【０１０１】
図１０に課金表示手段７２４で見ることのできる課金情報表示部の表示例を示す。図１０は、被験者のその月の本生体状態監視システム使用料金の内訳、被験者の本生体状態監視システム使用料金の支払方法、被験者の解析結果を被験者に還元する方法や還元先が表示されている。また、図面右にある、「料金支払い履歴」、「レポート発行履歴」、「解析結果表示」は、図示しない入力手段からの入力による指示により、料金支払い履歴の表示、レポート発行履歴の表示、解析結果の表示を行うことが可能であることを意味している。また図面下には、本生体状態監視システムにおけるトピックス情報が表示されている。このように、本生体状態監視システムに関するインフォメーション、宣伝、といった付加情報を付けて、被験者に通知することも可能である。
【０１０２】
上記のようなシステムの構成とすることで、被験者は、本生体状態監視システム使用料金や支払い状況、本生体状態監視システム使用内容、等をいつでも所望の時期に確認することが出来る。
【０１０３】
また本生体状態監視システムの運営者は、被験者による本生体状態監視システム使用料金の支払いにより、利益を得ることが出来る。
【０１０４】
また本生体状態監視システムの運営者は、解析結果を被験者に還元する際や、生体情報受信端末７２に本生体状態監視システム使用料金や支払い状況、本生体状態監視システム使用内容、等を送信する際に、本生体状態監視システムに関するインフォメーション、宣伝、といった付加情報を付けるが可能である。これにより被験者は、自身の生体情報解析結果以外にも、有用な情報を得ることが出来る。
【０１０５】
尚、以上説明した本発明の実施の形態における、生体情報受信端末の機能を実現するためのプログラムを、コンピュータで読み取り可能な記録媒体に記録し、この記録媒体に記録されたプログラムを、通信機能を有する情報機器に読み込ませ、実行することで、その情報機器を生体情報受信端末として使用することも可能である。
【図面の簡単な説明】
【０１０６】
【図１】生体状態監視システムの基本構成を示すブロック図
【図２】監視端末データベースの保管内容を示す図
【図３】実施の形態２にかかる生体状態監視システムのブロック図
【図４】データ解析方法の一例を示すフローチャート
【図５】生体状態監視システムを示すブロック図
【図６】データ解析方法の一例を示すフローチャート
【図７】実施の形態３にかかる生体状態監視システムのブロック図
【図８】歩数、歩行距離および消費カロリーの表示例
【図９】監視端末データベースの保管内容
【図１０】課金情報表示部の表示例
【符号の説明】
【０１０７】
１１  生体情報計測端末
１１１  生体情報計測手段
１１２  生体情報送信手段
１２  生体情報受信端末
１２１  計測結果受信手段
１２２  解析手段
１２３  解析結果表示手段
１２４  記憶手段
１２５  解析プログラム受信手段
１２６  解析結果送信手段
１３  監視端末
１３１  解析プログラム設定手段
１３２  解析プログラム送信手段
１３３  解析結果受信手段
１３４  解析結果表示手段
１３５  監視端末データベース
５１３  解析方法決定手段
５１４、５２３  解析方法送信手段
５２２、５３１  解析方法受信手段
７２４  課金情報表示手段
７２５  課金情報受信手段
７３６  課金情報送信手段
７３７  課金情報管理手段
【図１】
2004358231.tif 000003
【図２】
2004358231.tif 000004
【図３】
2004358231.tif 000005
【図４】
2004358231.tif 000006
【図５】
2004358231.tif 000007
【図６】
2004358231.tif 000008
【図７】
2004358231.tif 000009
【図８】
2004358231.tif 000010
【図９】
2004358231.tif 000011
【図１０】
2004358231.tif 000012